(57)【要約】【課題】  サービス提供範囲の拡大を図る無線通信システムを提供すること。【解決手段】  中継基地局装置２Ａが、無線通信により送信される接続要求データを受信する接続要求受信機能２２ａと、当該接続要求データに含まれるユーザ端末が接続を要求する接続事業者の接続事業者識別コードが，自己の接続事業者のものであるか否かを予め記憶している接続事業者識別コードに基づいて判断する識別コード判断機能２２ｂと、この識別コード判断機能により，自己の接続事業者の接続事業者識別コードであると判断した場合に当該自己の中継基地局装置に接続された接続制御サーバとユーザ端末との接続を中継して接続経路を構築すると共に，自己の接続事業者の接続事業者識別コードでないと判断した場合に予め記憶している接続先アドレスデータに基づいて他の中継基地局装置にユーザ端末からの接続要求データを送信する接続経路制御機能２２ｃと、を備えた。【選択図】図１
2005151397.tif 000002
【特許請求の範囲】
【請求項１】
公衆ネットワークへの接続を代行する接続事業者の接続制御サーバに接続され、ユーザ端末からの無線通信による前記公衆ネットワークへの接続要求に応じて当該ユーザ端末と前記接続制御サーバとの接続を中継する中継基地局装置であって、
この中継基地局装置が、
自己の中継基地局装置を管理する前記接続事業者の接続事業者識別コードと、他の接続事業者が管理する他の中継基地局装置への無線通信による接続先アドレスデータと、を記憶し、
前記ユーザ端末から，あるいは，前記他の中継基地局装置を介して前記ユーザ端末から，無線通信により送信される接続要求データを受信する接続要求受信機能と、
当該接続要求データに含まれる前記ユーザ端末が接続を要求する接続事業者の前記接続事業者識別コードが，自己の中継基地局装置を管理する接続事業者のものであるか否かを前記予め記憶している接続事業者識別コードに基づいて判断する識別コード判断機能と、
この識別コード判断機能により，自己の接続事業者の接続事業者識別コードであると判断した場合に当該自己の中継基地局装置に接続された前記接続制御サーバとユーザ端末との接続を中継して接続経路を構築すると共に，自己の接続事業者の接続事業者識別コードでないと判断した場合に前記予め記憶している接続先アドレスデータに基づいて前記他の中継基地局装置に前記ユーザ端末からの接続要求データを転送する接続経路制御機能と、
を備えたことを特徴とする中継基地局装置。
【請求項２】
公衆ネットワークへの接続を代行する接続事業者の接続制御サーバに接続され、ユーザ端末からの無線通信による前記公衆ネットワークへの接続要求に応じて当該ユーザ端末と前記接続制御サーバとの接続を中継する中継基地局装置であって、
この中継基地局装置が、
自己の中継基地局装置を管理する前記接続事業者の接続事業者識別コードと他の接続事業者の接続事業者識別コードとを区別して記憶すると共に、当該他の接続事業者識別コード毎にそれぞれ対応した他の接続事業者が管理する他の中継基地局装置への無線通信による接続先アドレスデータを記憶し、
前記ユーザ端末から，あるいは，前記他の中継基地局装置を介して前記ユーザ端末から，無線通信により送信される接続要求データを受信する接続要求受信機能と、
当該接続要求データに含まれる前記ユーザ端末が接続を要求する接続事業者の前記接続事業者識別コードが，自己の中継基地局装置を管理する接続事業者のものであるか否かを前記予め記憶している接続事業者識別コードに基づいて判断する識別コード判断機能と、
この識別コード判断機能により，自己の接続事業者の接続事業者識別コードであると判断した場合に当該自己の中継基地局装置に接続された前記接続制御サーバとユーザ端末との接続を中継して接続経路を構築すると共に，他の接続事業者の接続事業者識別コードであると判断した場合に前記予め記憶している接続先アドレスデータに基づいて当該接続事業者識別コードに対応する他の前記中継基地局装置に前記ユーザ端末からの接続要求データを転送する接続経路制御機能と、
を備えたことを特徴とする中継基地局装置。
【請求項３】
前記中継基地局が有する識別コード判断機能が、前記ユーザ端末からの前記接続事業者識別コードが前記予め記憶している接続事業者識別コードに含まれているか否かをも判断する機能を有し、
前記中継基地局装置が有する接続経路制御機能が、前記識別コード判断機能により，前記ユーザ端末から送信された接続事業者識別コードが前記予め記憶された接続事業者識別コードに含まれていないと判断した場合に，前記接続先アドレスデータに登録されている前記他の中継基地局装置のうちいずれかの中継基地局装置に対して前記ユーザ端末からの接続要求データを転送する機能を備えたことを特徴とする請求項２記載の中継基地局装置。
【請求項４】
公衆ネットワークへの接続を代行する接続事業者の接続制御サーバに接続され、ユーザ端末からの無線通信による前記公衆ネットワークへの接続要求に応じて当該ユーザ端末と前記接続制御サーバとの接続を中継する中継基地局装置であって、
この中継基地局装置が、
自己の中継基地局装置を管理する前記接続事業者の接続事業者識別コードと他の接続事業者の接続事業者識別コードとを区別して記憶すると共に、当該他の接続事業者識別コード毎にそれぞれ対応した他の接続事業者が管理する他の中継基地局装置への無線通信による接続先アドレスデータを記憶し、
前記ユーザ端末から，あるいは，前記他の中継基地局装置を介して前記ユーザ端末から，無線通信により送信される接続要求データを受信する接続要求受信機能と、
当該接続要求データに含まれる前記ユーザ端末が接続を要求する接続事業者の前記接続事業者識別コードが，前記記憶している接続事業者識別コードに含まれているか否かを判断すると共に，自己の中継基地局装置を管理する接続事業者のものであるか否かを前記予め記憶している接続事業者識別コードに基づいて判断する識別コード判断機能と、
この識別コード判断機能により，自己の接続事業者の接続事業者識別コードであると判断した場合に当該自己の中継基地局装置に接続された前記接続制御サーバとユーザ端末との接続を中継して接続経路を構築すると共に，他の接続事業者の接続事業者識別コードであると判断した場合に前記予め記憶している接続先アドレスデータに基づいて当該接続事業者用コードに対応する他の前記中継基地局装置に前記ユーザ端末からの接続要求データを転送し，前記記憶している接続事業者識別コードに含まれていないと判断した場合に前記接続先アドレスデータのうち予め特定されたアドレスデータ先に前記ユーザ端末からの接続要求データを転送する接続経路制御機能と、
を備えたことを特徴とする中継基地局装置。
【請求項５】
公衆ネットワークへの接続を代行する接続事業者の接続制御サーバに接続された中継基地局装置と、この中継基地局に対して前記公衆ネットワークへの接続を要求する無線通信装置を装備したユーザ端末と、を備え、
前記中継基地局が、前記ユーザ端末からの無線通信による接続要求に応じて、前記ユーザ端末と前記接続制御サーバとの接続を中継する機能を有する無線通信システムであって、
前記ユーザ端末が、当該端末が接続を要求する接続事業者の接続事業者識別コードを記憶すると共に、前記中継基地局装置に対して前記公衆ネットワークへの接続を要求する際に送信する接続要求データに前記接続事業者識別コードを含めて送信する機能を有し、
前記中継基地局装置が、
自己の中継基地局装置を管理する前記接続事業者の接続事業者識別コードと、他の接続事業者が管理する他の中継基地局装置への無線通信による接続先アドレスデータと、を記憶し、
前記ユーザ端末から，あるいは，前記他の中継基地局装置を介して前記ユーザ端末から，無線通信により送信される接続要求データを受信する接続要求受信機能と、
当該接続要求データに含まれる前記ユーザ端末が接続を要求する接続事業者の前記接続事業者識別コードが，自己の中継基地局装置を管理する接続事業者のものであるか否かを前記予め記憶している接続事業者識別コードに基づいて判断する識別コード判断機能と、
この識別コード判断機能により，自己の接続事業者の接続事業者識別コードであると判断した場合に当該自己の中継基地局装置に接続された前記接続制御サーバとユーザ端末との接続を中継して接続経路を構築すると共に，自己の接続事業者の接続事業者識別コードでないと判断した場合に前記予め記憶している接続先アドレスデータに基づいて前記他の中継基地局装置に前記ユーザ端末からの接続要求データを転送する接続経路制御機能と、
を備えたことを特徴とする無線通信システム。
【請求項６】
公衆ネットワークへの接続を代行する接続事業者の接続制御サーバに接続された中継基地局装置が、ユーザ端末からの無線通信による前記公衆ネットワークへの接続要求に応じて当該ユーザ端末と前記接続制御サーバとの接続を中継する無線通信方法であって、
前記中継基地局装置が、
前記ユーザ端末から，あるいは，前記他の中継基地局装置を介して前記ユーザ端末から，無線通信により送信される接続要求データを受信する接続要求受信工程と、
前記受信した接続要求データに含まれる前記ユーザ端末が接続を要求する接続事業者の前記接続事業者識別コードが，自己の中継基地局装置を管理する接続事業者のものであるか否かを前記予め記憶している自己の中継基地局装置を管理する前記接続事業者の接続事業者識別コードに基づいて判断する識別コード判断工程と、
この識別コード判断工程により，自己の接続事業者の接続事業者識別コードであると判断した場合に当該自己の中継基地局装置に接続された前記接続制御サーバとユーザ端末との接続を中継して接続経路を構築すると共に，自己の接続事業者の接続事業者識別コードでないと判断した場合に前記予め記憶している他の接続事業者が管理する他の中継基地局装置への無線通信による接続先アドレスデータに基づいて前記他の中継基地局装置に前記ユーザ端末からの接続要求データを転送する接続経路制御工程と、
からなることを特徴とする無線通信方法。
【請求項７】
公衆ネットワークへの接続を代行する接続事業者の接続制御サーバに接続され、ユーザ端末からの無線通信による前記公衆ネットワークへの接続要求に応じて当該ユーザ端末と前記接続制御サーバとの接続を中継する中継基地局装置に、
前記ユーザ端末から，あるいは，前記他の中継基地局を介して前記ユーザ端末から，無線通信により送信される接続要求データを受信する接続要求受信機能と、
前記受信した接続要求データに含まれる前記ユーザ端末が接続を要求する接続事業者の前記接続事業者識別コードが，自己の中継基地局装置を管理する接続事業者のものであるか否かを前記予め記憶している自己の中継基地局装置を管理する前記接続事業者の接続事業者用識別コードに基づいて判断する識別コード判断機能と、
この識別コード判断機能により，自己の接続事業者の接続事業者識別コードであると判断した場合に当該自己の中継基地局装置に接続された前記接続制御サーバとユーザ端末との接続を中継して接続経路を構築すると共に，自己の接続事業者の接続事業者識別コードでないと判断した場合に前記予め記憶している他の接続事業者が管理する他の中継基地局装置への無線通信による接続先アドレスデータに基づいて前記他の中継基地局装置に前記ユーザ端末からの接続要求データを転送する接続経路制御機能と、
を実現するための無線通信用プログラム。
【発明の詳細な説明】
【技術分野】
【０００１】
本発明は、中継基地局装置にかかり、特に、無線通信にてなされるユーザ端末からの公衆ネットワークへの接続中継依頼に応じて、当該接続を中継する中継基地局装置に関する。また、無線通信システム及び方法並びに無線通信用プログラムに関する。
【背景技術】
【０００２】
近年、無線通信技術が発達し、ＬＡＮ（Local Area Network）接続に無線通信を用いることが広く普及している。そして、この無線ＬＡＮシステムは、インターネットなどの通信網に対する接続を代行する接続事業者の接続制御サーバに接続されたアクセスポイント（中継基地局）と、かかるアクセスポイントに無線通信にて接続する無線通信カード（装置）を搭載したユーザ端末と、により構成され、当該ユーザ端末がアクセスポイントを介して接続事業者の接続制御サーバに接続し、この接続制御サーバが認証を行った後に、ユーザ端末のインターネットへの接続を確立する、というものである。例えば、会社内や家庭内にアクセスポイントを設置し、このアクセスポイントに対して各端末が無線通信することで、ＬＡＮケーブルの存在を排除した利便性の高い無線ＬＡＮシステムが構築される。
【０００３】
そして、かかる無線ＬＡＮシステムでは、ユーザ端末がアクセスポイントの無線通信範囲外に移動したときには、他のアクセスポイントに接続するといういわゆるローミング技術が備わっており、これにより、ユーザ端末の常時ネットワークへの接続が可能となる。かかるローミング技術の一例が、下記に示す特許文献１に開示されている。
【０００４】
特許文献１に開示されている無線ＬＡＮシステムは、複数の親局装置と、子局装置とから構成されている。なお、親局装置は、上述したアクセスポイントに相当するものであり、小局装置はユーザ端末に搭載された無線通信カードに相当するものである。そして、複数の親局装置は、互いに異なる周波数を用いて報知信号を無線送信し、子局装置は複数の親局装置の通信可能領域を移動して親局装置と無線通信するに際して、親局装置から受信した報知信号により確立した同期が外れた状態が所定の期間継続したことに応じて受信周波数を切替えて報知信号の受信状態を確立する。
【０００５】
【特許文献１】特開２０００−２８６８５６号公報
【発明の開示】
【発明が解決しようとする課題】
【０００６】
しかしながら、上記従来例における無線ＬＡＮシステムでは、同一の接続事業者の親局装置間でのローミングが前提となっており、異なる接続事業者間のローミングを想定したものではない。すなわち、異なる接続事業者間では、登録しているユーザも異なり、そして、課金方法も異なるため、異なる接続事業者間のローミングが制限される、という問題が生じる。換言すると、異なる事業者のアクセスポイント間で上述したようにローミングを実現しようとする場合には、課金システムを変更しなければならない、という問題が生じる。また、仮に、他の接続事業者のアクセスポイントに接続して、ネットワークへの接続を実現したとしても、そのアクセスポイントにおける無線通信の範囲内でしか接続サービスを受けることができない、という問題が生じる。
【０００７】
そして、上記問題点は、近年の商用無線ＬＡＮシステムの普及においては重要な問題となる。すなわち、近年、ファーストフード店やカフェなどにホットスポットと呼ばれるアクセスポイントが設置され、当該ホットスポットを介してユーザが持ち込んだコンピュータをインターネットに接続する、というサービスが普及している。このような状況においては、その店舗におけるホットスポットにて接続可能な接続事業者にユーザが加入していなければネットワーク接続を行うことができないという、不便な事態が生じる。例えば、ユーザが加入している接続事業者の課金方法と異なっていることを理由に、ローミングが不可能となっている事態が生じ、他の接続事業者が運営するホットスポット内ではサービスを受けられないという問題が生じる。一方で、他の接続業者の通信料を支払うことも考えられるが、一定の金額で時間無制限の接続が一般的となっている今日では、別途、通信料を支払うことはユーザにとって抵抗があり、その利用の促進を図ることが困難となる。さらには、異なる接続事業者からの請求に応じなければならず、かかる手間も増大する。
【０００８】
このようなことから、本発明は、上記従来例の有する不都合を改善し、特に、システムの複雑化と、利用コストの増加を抑制すると共に、サービス提供範囲の拡大を図り、ユーザの利便性の向上を図る、中継基地局装置、無線通信システム、方法、プログラムを提供すること、をその目的とする。
【課題を解決するための手段】
【０００９】
そこで、本発明では、まず、公衆ネットワークへの接続を代行する接続事業者の接続制御サーバに接続され、ユーザ端末からの無線通信による公衆ネットワークへの接続要求に応じて当該ユーザ端末と接続制御サーバとの接続を中継する中継基地局装置であって、この中継基地局装置が、自己の中継基地局装置を管理する接続事業者の接続事業者識別コードと、他の接続事業者が管理する他の中継基地局装置への無線通信による接続先アドレスデータと、を記憶している。そして、ユーザ端末から，あるいは，他の中継基地局装置を介してユーザ端末から，無線通信により送信される接続要求データを受信する接続要求受信機能と、当該接続要求データに含まれるユーザ端末が接続を要求する接続事業者の接続事業者識別コードが，自己の中継基地局装置を管理する接続事業者のものであるか否かを予め記憶している接続事業者識別コードに基づいて判断する識別コード判断機能と、この識別コード判断機能により，自己の接続事業者の接続事業者識別コードであると判断した場合に当該自己の中継基地局装置に接続された接続制御サーバとユーザ端末との接続を中継して接続経路を構築すると共に，自己の接続事業者の接続事業者識別コードでないと判断した場合に予め記憶している接続先アドレスデータに基づいて他の中継基地局装置にユーザ端末からの接続要求データを送信する接続経路制御機能と、を備えた、という構成を採っている。
【００１０】
このような構成にすることにより、中継基地局装置が、ユーザ端末から、あるいは、他の中継基地局装置を介してのユーザ端末からの公衆ネットワークへの接続要求を受信すると、まず、接続要求データに含まれる接続事業者識別コードを抽出する。なお、この接続要求データに含まれる接続事業者識別コードは、ユーザ端末が接続を希望する接続事業者を特定するデータである。
【００１１】
そして、この識別コードと、予め中継基地局装置が記憶している自己の接続事業者の接続事業者識別コードと比較して、一致するか否かを判断する。その結果、一致する場合には、アクセスしてきたユーザ端末が自己の接続事業者を希望して接続要求をしているので、ユーザ端末と自己である中継基地局が接続している接続制御サーバとの接続を中継して、ユーザ端末の公衆ネットワークへの接続経路を構築する。一方、識別データが異なる場合には、他の中継基地局装置にユーザ端末からの接続要求データを転送する。これにより、転送された接続要求データを受けた他の中継基地局装置は、上述同様に、接続要求データに含まれる識別データを抽出し、自己が記憶している識別データと比較する。そして、一致していれば自己の接続制御サーバを介してユーザ端末の公衆ネットワークへの接続を確立し、異なっていれば、さらに別の中継基地局に接続要求データを転送する。
【００１２】
なお、上記作用は、以下の構成においても実現される。すなわち、本発明は、以下に示す無線通信システムや、無線通信方法、無線通信用プログラムという形態であってもよい。
【００１３】
まず、無線通信システムは、公衆ネットワークへの接続を代行する接続事業者の接続制御サーバに接続された中継基地局装置と、この中継基地局装置に対して公衆ネットワークへの接続を要求する無線通信装置を装備したユーザ端末と、を備え、中継基地局が、ユーザ端末からの無線通信による接続要求に応じて、ユーザ端末と接続制御サーバとの接続を中継する機能を有する無線通信システムであって、ユーザ端末が、当該端末が接続を要求する接続事業者の接続事業者識別コードを記憶すると共に、中継基地局に対して公衆ネットワークへの接続を要求する際に送信する接続要求データに接続事業者識別コードを含めて送信する機能を有し、中継基地局装置が、自己の中継基地局装置を管理する接続事業者の接続事業者識別コードと、他の接続事業者が管理する他の中継基地局装置への無線通信による接続先アドレスデータと、を記憶し、ユーザ端末から，あるいは，他の中継基地局を介して前記ユーザ端末から，無線通信により送信される接続要求データを受信する接続要求受信機能と、当該接続要求データに含まれるユーザ端末が接続を要求する接続事業者の接続事業者識別コードが，自己の中継基地局装置を管理する接続事業者のものであるか否かを予め記憶している接続事業者用コードに基づいて判断する識別コード判断機能と、この識別コード判断機能により，自己の接続事業者の接続事業者識別コードであると判断した場合に当該自己の中継基地局装置に接続された接続制御サーバとユーザ端末との接続を中継して接続経路を構築すると共に，自己の接続事業者の接続事業者識別コードでないと判断した場合に予め記憶している接続先アドレスデータに基づいて他の中継基地局装置にユーザ端末からの接続要求データを転送する接続経路制御機能と、を備えた、という構成を採っている。
【００１４】
また、無線通信方法は、公衆ネットワークへの接続を代行する接続事業者の接続制御サーバに接続された中継基地局装置が、ユーザ端末からの無線通信による公衆ネットワークへの接続要求に応じて当該ユーザ端末と接続制御サーバとの接続を中継する無線通信方法であって、中継基地局装置が、ユーザ端末から，あるいは，他の中継基地局装置を介してユーザ端末から，無線通信により送信される接続要求データを受信する接続要求受信工程と、受信した接続要求データに含まれるユーザ端末が接続を要求する接続事業者の接続事業者識別コードが，自己の中継基地局装置を管理する接続事業者のものであるか否かを予め記憶している自己の中継基地局装置を管理する接続事業者の接続事業者識別コードに基づいて判断する識別コード判断工程と、この識別コード判断工程により，自己の接続事業者の接続事業者用識別コードであると判断した場合に当該自己の中継基地局装置に接続された接続制御サーバとユーザ端末との接続を中継して接続経路を構築すると共に，自己の接続事業者の接続事業者識別コードでないと判断した場合に予め記憶している他の接続事業者が管理する他の中継基地局装置への無線通信による接続先アドレスデータに基づいて他の中継基地局装置にユーザ端末からの接続要求データを転送する接続経路制御工程と、からなる。
【００１５】
また、無線通信用プログラムは、中継基地局装置に組み込まれるプログラムであって、公衆ネットワークへの接続を代行する接続事業者の接続制御サーバに接続され、ユーザ端末からの無線通信による公衆ネットワークへの接続要求に応じて当該ユーザ端末と接続制御サーバとの接続を中継する中継基地局装置に、ユーザ端末から，あるいは，他の中継基地局装置を介してユーザ端末から，無線通信により送信される接続要求データを受信する接続要求受信機能と、受信した接続要求データに含まれるユーザ端末が接続を要求する接続事業者の接続事業者識別コードが，自己の中継基地局装置を管理する接続事業者のものであるか否かを予め記憶している自己の中継基地局装置を管理する接続事業者の接続事業者識別コードに基づいて判断する識別コード判断機能と、この識別コード判断機能により，自己の接続事業者の接続事業者識別コードであると判断した場合に当該自己の中継基地局装置に接続された接続制御サーバとユーザ端末との接続を中継して接続経路を構築すると共に，自己の接続事業者の接続事業者識別コードでないと判断した場合に予め記憶している他の接続事業者が管理する他の中継基地局装置への無線通信による接続先アドレスデータに基づいて他の中継基地局装置にユーザ端末からの接続要求データを転送する接続経路制御機能と、を実現するための無線通信用プログラムである。
【００１６】
なお、本発明は、以下のような構成であってもよい。すなわち、公衆ネットワークへの接続を代行する接続事業者の接続制御サーバに接続され、ユーザ端末からの無線通信による公衆ネットワークへの接続要求に応じて当該ユーザ端末と接続制御サーバとの接続を中継する中継基地局装置であって、この中継基地局装置が、自己の中継基地局装置を管理する接続事業者の接続事業者識別コードと他の接続事業者の接続事業者識別コードとを区別して記憶すると共に、当該他の接続事業者識別コード毎にそれぞれ対応した他の接続事業者が管理する他の中継基地局装置への無線通信による接続先アドレスデータを記憶し、ユーザ端末から，あるいは，他の中継基地局装置を介してユーザ端末から，無線通信により送信される接続要求データを受信する接続要求受信機能と、当該接続要求データに含まれるユーザ端末が接続を要求する接続事業者の接続事業者識別コードが，自己の中継基地局装置を管理する接続事業者のものであるか否かを予め記憶している接続事業者識別コードに基づいて判断する識別コード判断機能と、この識別コード判断機能により，自己の接続事業者の接続事業者識別コードであると判断した場合に当該自己の中継基地局装置に接続された接続制御サーバとユーザ端末との接続を中継して接続経路を構築すると共に，他の接続事業者の接続事業者識別コードであると判断した場合に予め記憶している接続先アドレスデータに基づいて当該接続事業者識別コードに対応する他の中継基地局装置にユーザ端末からの接続要求データを転送する接続経路制御機能と、を備えた、という構成でもよい。
【００１７】
これにより、ユーザ端末から受信した接続要求に含まれる接続事業者識別コードが、自己の接続事業者の識別コードでないが、予め記憶している他の接続事業者のものである場合には、かかる他の接続事業者の中継基地局装置にユーザ端末からの接続要求データが転送される。そして、これを受けた他の中継基地局装置が、上述同様に、自己の接続制御サーバを介してネットワークへの接続を確立したり、あるいは、さらに他の中継基地局装置に転送する。
【００１８】
また、本発明では、上記構成に加えて、中継基地局装置が有する識別コード判断機能が、ユーザ端末からの接続事業者識別コードが予め記憶している接続事業者識別コードに含まれているか否かをも判断する機能を有し、中継基地局装置が有する接続経路制御機能が、識別コード判断機能により，ユーザ端末から送信された接続事業者識別コードが予め記憶された接続事業者識別コードに含まれていないと判断した場合に，接続先アドレスデータに登録されている他の中継基地局装置のうちいずれかの中継基地局装置に対してユーザ端末からの接続要求データを転送する機能を備えた、という構成を採っていると望ましい。
【００１９】
これにより、未知の接続事業者識別コードを受信した場合には、アドレスデータを記憶している他の中継基地局装置に、ユーザ端末からの接続要求データを転送し、識別コードが自己のものと一致する中継基地局装置に至るまで転送され続ける。そして、最終的には、ユーザが希望する接続事業者を介して当該ユーザ端末はネットワークに接続可能となる。
【００２０】
なお、上記作用は、以下の構成でも実現できる。すなわち、本発明は、公衆ネットワークへの接続を代行する接続事業者の接続制御サーバに接続され、ユーザ端末からの無線通信による公衆ネットワークへの接続要求に応じて当該ユーザ端末と接続制御サーバとの接続を中継する中継基地局装置であって、この中継基地局装置が、自己の中継基地局装置を管理する接続事業者の接続事業者識別コードと他の接続事業者の接続事業者識別コードとを区別して記憶すると共に、当該他の接続事業者識別コード毎にそれぞれ対応した他の接続事業者が管理する他の中継基地局装置への無線通信による接続先アドレスデータを記憶し、ユーザ端末から，あるいは，他の中継基地局装置を介してユーザ端末から，無線通信により送信される接続要求データを受信する接続要求受信機能と、当該接続要求データに含まれるユーザ端末が接続を要求する接続事業者の接続事業者識別コードが，記憶している接続事業者識別コードに含まれているか否かを判断すると共に，自己の中継基地局装置を管理する接続事業者のものであるか否かを予め記憶している接続事業者識別コードに基づいて判断する識別コード判断機能と、この識別コード判断機能により，自己の接続事業者の接続事業者識別コードであると判断した場合に当該自己の中継基地局装置に接続された接続制御サーバとユーザ端末との接続を中継して接続経路を構築すると共に，他の接続事業者の接続事業者識別コードであると判断した場合に予め記憶している接続先アドレスデータに基づいて当該接続事業者識別コードに対応する他の中継基地局装置にユーザ端末からの接続要求データを送信し，記憶している接続事業者識別コードに含まれていないと判断した場合に接続先アドレスデータのうち予め特定されたアドレスデータ先にユーザ端末からの接続要求データを送信する接続経路制御機能と、を備えた、という構成をも採っている。
【発明の効果】
【００２１】
本発明は、以上のように構成され機能するので、これによると、ユーザが希望する接続事業者の中継基地局装置が存在しない箇所であっても、他の接続事業者の中継基地局装置を介して自己の希望する接続事業者の中継基地局装置へ接続が中継され、かかる接続事業者のサービス利用を受けることが可能となる。従って、他の接続事業者による課金を受けることがないため、ユーザ端末の接続に対する課金方法を変更するということを抑制できることから、利用者の利便性が向上し、利用者の増大を図ることができる。また、他の接続事業者の無線接続領域（ホットスポット）から自己の希望する接続事業者を介してのネットワークへの接続を実現できることから、結果として、同一接続事業者による無線接続サービスの提供範囲の拡大を図ることができ、さらなる利用者の利便性の向上を図ることができる。
【発明を実施するための最良の形態】
【００２２】
以下、本発明である無線通信システム、特に、中継基地局装置について説明する。まず、本発明は、喫茶店などの店舗において設置されているホットスポットと呼ばれるネットワーク接続サービスに利用されるものである。かかるサービスは、店舗などに無線ＬＡＮシステムによるアクセスポイントを設置し、当該アクセスポイントを介してユーザが持ち込んだコンピュータを公衆ネットワークであるインターネットに接続する、というサービスである。なお、上記アクセスポイントとは、中継基地局装置と同義であり、両者の名前で呼ぶこととする。
【００２３】
そして、本発明の特徴は、以下の通りである。まず、アクセスポイントがあらゆるユーザ端末からの接続要求を受け、当該ユーザ端末から接続事業者を特定する識別コードを受信する。この識別コードが自己のものである場合には、アクセスポイントは自己の上位に位置する接続制御サーバとユーザ端末との接続を確立させるよう中継する。これにより、ユーザ端末の公衆ネットワークへの接続が実現される。一方で、アクセスポイントが受けた識別データが、自己の接続事業者のものでない場合には、当該アクセスポイントが他のアクセスポイントにユーザ端末からの接続要求を送信し、そのユーザ端末が希望する接続事業者のアクセスポイントにまで転送される。この結果、自己の契約している接続事業者のアクセスポイントが存在しないエリアであっても、他の接続事業者のアクセスポイントを経由して契約している接続事業者を介してインターネット接続することができる、というものである。以下、実施例において、さらに具体的に説明する。
【実施例１】
【００２４】
本発明である無線通信システム、及び、中継基地局装置について、図１乃至図６を参照して説明する。図１は、本発明である無線通信システムの全体構成を示す図である。図２は、本発明の構成を示す機能ブロック図である。図３は、中継基地局の動作を示すフローチャートである。図４乃至図６は、本システムにおける接続状態を示す説明図である。
【００２５】
（構成）
図１に示すように、本発明である無線通信システムは、公衆ネットワークであるインターネットＮへの接続を代行する接続事業者の接続制御サーバ（１Ａ等）に接続された中継基地局装置であるアクセスポイント（２Ａ等）と、このアクセスポイント２Ａに対してインターネットへの接続を要求する無線通信装置（通信部２１図示せず）を装備したユーザ端末３Ａ（等）と、を備えている。そして、アクセスポイント（２Ａ等）が、ユーザ端末（３Ａ等）からの無線通信による接続要求に応じて、当該ユーザ端末（３Ａ等）と接続制御サーバ（１Ａ等）との接続を中継する、というものである。すなわち、以下、これを詳述する。
【００２６】
（接続制御サーバ）
接続制御サーバ（１Ａ等）は、いわゆるプロバイダと呼ばれるインターネット接続代行事業者が管理するサーバコンピュータであり、ユーザ端末（３Ａ）からの接続要求に応じて、当該ユーザ端末をインターネットＮに接続可能とする機能を有する。これにより、ユーザは自己のコンピュータについてグローバルなＩＰを取得しなくとも、インターネットＮに接続でき、当該インターネット上に存在する他のウェブサーバにアクセスすることができる。なお、接続制御サーバ（１Ａ等）は、プロバイダ（接続事業者）ごとに設置させており、図１において、符号１Ａに示すものはプロバイダＡのものであり、符号１Ｂ、１Ｃに示すものはそれぞれプロバイダＢ，Ｃのものであることとする。
【００２７】
（ユーザ端末）
ユーザ端末は、一般的なユーザが所有するパーソナルコンピュータや、ＰＤＡ（情報携帯端末）などの、無線通信機能を有する端末装置である。無線通信機能は、ユーザ端末（３Ａ等）に装備されるＬＡＮカードといった無線通信機器、及び、ＯＳにあらかじめ組み込まれた通信プログラムからなる。そして、後述するように、プロバイダごとに設置されるアクセスポイント（２Ａ等）に対して接続要求データを無線通信にて送信することで、当該アクセスポイント（２Ａ等）にて自己の契約しているプロバイダの接続制御サーバ１Ａ等に中継接続され、インターネットへの接続が可能となる。なお、図１においては、プロバイダＡのアクセスポイント２Ａの通信範囲内に、当該プロバイダＡに契約しているユーザ端末３Ａが存在していることを示している。
【００２８】
ここで、自己の契約するプロバイダのアクセスポイント（２Ａ等）との接続は、当該アクセスポイントが発信する検出信号を受信したユーザ端末３Ａが、検出応答信号を返信することにより、接続を確立する。なお、当該通信方法においては、すでに周知の技術なので説明を省略する。
【００２９】
そして、ユーザ端末（３Ａ等）は、自己の契約するプロバイダのアクセスポイントだけでなく、あらゆるアクセスポイントとの接続が可能である。すなわち、通信方法等については、各プロバイダにおいて同一である。従って、例えば、プロバイダＢのアクセスポイント２Ｂの無線通信可能範囲であるホットスポットＨＢ内に、他のプロバイダＡのみに契約しているユーザ端末３Ａが存在している場合であっても、当該ユーザ端末３Ａはアクセスポイント２Ｂと交信可能である。
【００３０】
また、ユーザ端末（３Ａ等）は、自己の契約するインターネット接続事業者を識別する接続事業者識別コードを記憶している。換言すると、自己の端末にてインターネット接続を要求するプロバイダごとに固有のコードが記憶されている。そして、上記識別コードを、上記アクセスポイント（２Ｂ等）に対して、インターネットＮへの接続を要求する際に送信する接続要求データに含めて送信する機能を有する。例えば、プロバイダＡと契約しているユーザ端末３Ａには、プロバイダＡを特定する固有の接続事業者Ａ用識別コード「ａａａａ」が記憶されている。なお、この識別コードは一例であって、これに限定されるわけではない。
【００３１】
（アクセスポイント）
アクセスポイント（２Ａ）等は、上記各プロバイダ（接続事業者）と契約した施設や店内に設置されている無線ＬＡＮの中継基地局装置となるアクセスポイントである。すなわち、ユーザ端末（３Ａ等）からの接続要求を受けて、接続制御サーバ（１Ａ等）に接続を中継する。ここで、アクセスポイント（２Ａ等）は、上述した各プロバイダＡ，Ｂ，Ｃ等ごとにそれぞれ用意されて設置されており、各プロバイダの接続制御サーバ１Ａ，１Ｂ，１Ｃに有線又は無線通信にて接続されている。例えば、プロバイダＡの接続制御サーバ１Ａにはアクセスポイント２Ａが接続されており、当該アクセスポイント２Ａがユーザ端末（３Ａ等）から接続要求を受けた際には、基本的には、自己のプロバイダ内に設置された接続制御サーバ１Ａに接続を中継する。
【００３２】
また、各アクセスポイント（２Ａ等）がユーザ端末（３Ａ等）と無線通信可能な範囲は、ホットスポットと呼ばれるサービス提供範囲となる。かかる通信可能範囲を、各アクセスポイントごとに図１に示す。この図においては、プロバイダＡのアクセスポイント２Ａにおけるホットスポットを符号ＨＡに示す。他、同様に、プロバイダＢ，Ｃのアクセスポイント２Ｂ，２Ｃにおけるホットスポットを符号ＨＢ，ＨＣに示す。以下、アクセスポイントの構成について、プロバイダＡのアクセスポイント２Ａを例に挙げて、図２を参照して説明する。なお、他のアクセスポイントも同様の構成である。
【００３３】
図２に示すように、アクセスポイント２Ａには、上述したユーザ端末３Ａに装備されたＬＡＮカードなどの通信機器と無線通信を行う通信部２１が備えられている。また、この通信部２１は、他のアクセスポイント（例えば、符号２Ｂ，２Ｃにて表すアクセスポイント）とも通信を確立して無線通信を行う。すなわち、上述したように、ホットスポットＨＡの範囲内に検出信号を発信して、当該ホットスポットＨＡ内に存在する応答信号を受けたユーザ端末３Ａや他のアクセスポイント２Ｂと無線通信経路を確立し、後述するようにデータのやり取りを行う。
【００３４】
また、アクセスポイント２Ａには、演算手段であるＣＰＵ（２２）と、データ記憶手段であるＥＥＰＲＯＭなどのメモリ２３が備えられている。そして、このメモリ２３には、自己であるアクセスポイント２Ａを管理するプロバイダＡ（接続事業者Ａ）固有の接続事業者識別コードである接続事業者Ａ用識別コード「ａａａａ」が記憶されている。また、同様に、他のプロバイダＢ固有の接続事業者識別コードである接続事業者Ｂ用識別コード「ｂｂｂｂ」を記憶しており、上記自己のプロバイダＡの接続事業者Ａ用識別コードと区別して記憶している（図２の事業者識別データ２３ａを参照）。なお、記憶している接続事業者識別コードには、プロバイダＣのものや、さらに別のプロバイダのものがあってもよい。そして、この識別コードは、上記例示したように、アクセスポイント毎にそれぞれ定められたアルファベットや数字などのデータであっても良く、あらかじめアクセスポイント装置自体に与えられたＩＰアドレスやＭＡＣアドレスなどでもよい。
【００３５】
また、メモリ２３には、記憶している事業者識別コードにそれぞれ対応するプロバイダＢ等のアクセスポイント２Ｂ等に無線通信にて接続するためのアドレスデータ（接続先アドレスデータ）が記憶されている。例えば、接続先アドレスデータとしては、ネットワーク上におけるアクセスポイント装置を特定する情報であるＩＰアドレスを用いても良い。なお、このアクセスポイント２Ｂは、後述するように、アクセスポイント２Ａがユーザ端末３Ａから受けた接続要求データ内に含まれる接続事業者識別コードが当該アクセスポイント２Ａの事業者識別データ２３ａとしてあらかじめ登録されていない場合に、上記接続要求データの転送先として予め登録されている。すなわち、アクセスポイント２Ａが中継したユーザ端末が希望する接続先プロバイダが、事業者識別データ２３ａとして登録されていない未知のものである場合には、当該ユーザ端末からの接続要求データがとりあえずアクセスポイント２Ｂに転送されるよう設定される。ここで、上記接続先データ２３ｂには、もちろん自己のプロバイダＡの接続制御サーバ１Ａに接続するための接続先データも記憶されている。すなわち、接続制御サーバ１固有のＩＰアドレスなどが記憶されている。
【００３６】
次に、アクセスポイント２ＡのＣＰＵ（２２）に構築されている各処理部について説明する。なお、各処理部２２ａ〜２２ｃは、あらかじめ各処理部による機能を実現するためのプログラムがＣＰＵに組み込まれることにより実現できる。そして、当該プログラムは、いわゆるファームウェアと呼ばれ、アクセスポイント装置の動作を制御するプログラムであり、予め装置のメモリ内に記憶されていたり、当該装置が接続される上位装置から転送されて組み込まれても良い。なお、当該プログラムは、ＣＤ−ＲＯＭなどの可搬媒体に記録された状態で、あるいは、ネットワーク上の他のコンピュータからダウンロードされるなどにより流通する。
【００３７】
まず、ＣＰＵ（２２）には、ユーザ端末３Ａから，あるいは，他のアクセスポイントを介してユーザ端末から，無線通信により送信される接続要求データを受信する接続要求受信部２２ａが備えられている。この接続要求受信部２２ａは、ホットスポットＨＡ内のユーザ端末３Ａから直接、インターネットＮへの接続要求を受信したり、あるいは、他のアクセスポイントに対してユーザ端末からなされた接続要求であって、当該他のアクセスポイントが転送したものを受信する。例えば、アクセス２Ｂの上記接続要求受信部２２ａは、アクセスポイント２Ａに対してなされたプロバイダＢのユーザ端末（図示せず）からの接続要求データであって、かかるデータが当該アクセスポイント２Ａから転送された場合に、当該転送された接続要求データを受信する機能を有している。
【００３８】
また、ＣＰＵ（２２）は、上記接続要求受信部２２ａにて受信した接続要求データに含まれる接続事業者識別コード、すなわち、当該接続要求データを送信したユーザ端末が契約しているプロバイダの識別コードが、メモリ２３に記憶している事業者識別データ２３ａ内に予め登録されたものであるか否かを判断すると共に、自己のプロバイダのものであるか否かをも判断する機能を有する識別コード判断部２２ｂが構築されている。すなわち、アクセスポイント２Ａでは、自己のプロバイダＡの識別コードと、プロバイダＢの識別コードとを記憶しているが、プロバイダＣの識別コードを登録していないため、ユーザ端末からプロバイダＣのものを受信したときには、「予め登録されていない未知のもの」と判断する。また、プロバイダＢのものは「登録されている既知のもの」と判断し、プロバイダＡのものは、「自己のプロバイダのもの」と判断する。
【００３９】
そして、さらに、ＣＰＵ（２２）には、上記判断結果に応じて、受信した接続要求データに応じてインターネットＮへの接続を実行できるよう、接続経路を制御する接続経路制御部２２ｃが備えられている。具体的に、このプロバイダＡのアクセスポイント２Ａの接続経路制御部２２ｃは、受信した接続要求データに含まれる接続事業者識別コードが自己のプロバイダのものである場合には、そのままインターネットへの通信状態を制御する接続制御サーバ１Ａへの接続を確立する。一方、識別データが予め登録されている他のプロバイダ（例えば、プロバイダＢ）のものである場合には、予め接続先データ２３ｂとして登録されたプロバイダＢのアクセスポイント２Ｂへのアドレスデータを読み出して、当該アドレス先にユーザ端末から受けた接続要求データを転送する。さらに、識別データが未知のもの（例えば、プロバイダＣのもの）であった場合には、予め接続先データ２３ｂとして登録されたアドレスデータのうちの任意の一つのアドレスデータ先に、あるいは、特定のアドレスデータ先に、上述同様に、接続要求データを転送する。なお、アクセスポイント２Ａは、未知の識別データに対しては、すべてプロバイダＢのアクセスポイント２Ｂに転送するよう設定されている。但し、これはデータ転送方法の単なる一例に過ぎず、上記のものに限定されない。
【００４０】
ここで、各図１に示す各アクセスポイント２Ａ，２Ｂ，２Ｃについて、簡単に説明する。まず、プロバイダＡのアクセスポイント２Ａは、上述したように、識別コードによって中継する通信経路を制御する機能（接続経路制御機能）を有していて、ユーザ端末から受信する接続事業者Ａ用識別コードの接続先としてプロバイダＡの接続制御サーバ１Ａ、接続事業者Ｂ用識別コードの接続先としてプロバイダＢのアクセスポイント２Ｂ、未知の接続事業者識別コードの接続先としてプロバイダＢのアクセスポイント２Ｂが登録されている。
【００４１】
また、プロバイダＢのアクセスポイント２Ｂは、プロバイダＢと契約した施設や店内に設置されている無線ＬＡＮのアクセスポイント装置であり、プロバイダＢの接続制御サーバ１Ｂを介してインターネットＮに接続されている。そして、アクセスポイント２Ｂの無線通信可能範囲であるのサービス範囲がプロバイダＢのホットスポットＨＢとなる。また、上記アクセスポイント２Ａと同様に、接続事業者識別コードによる経路制御機能を有しており、あらかじめ接続事業者Ａ用識別コードの接続先としてプロバイダＡのアクセスポイント２Ａ、接続事業者Ｂ用識別コードの接続先として自己であるプロバイダＢの接続制御サーバ１Ｂ、接続事業者Ｃ用識別コードの接続先としてプロバイダＣのアクセスポイント２Ｃ、未知の接続事業者識別コードの接続先としてプロバイダＣのアクセスポイント２Ｃが登録されている。
【００４２】
また、プロバイダＣのアクセスポイント２Ｃは、プロバイダＣと契約した施設や店内に設置されている無線ＬＡＮのアクセスポイント装置であり、プロバイダＣの接続制御サーバ１Ｃを介してインターネットＮに接続されている。そして、アクセスポイント２Ｃの無線通信可能範囲であるのサービス範囲がプロバイダＣのホットスポットＨＣとなる。また、上記アクセスポイント２Ａと同様に、接続事業者識別コードによる経路制御機能を有しており、あらかじめ接続事業者Ｂ用識別コードの接続先としてプロバイダＢのアクセスポイント２Ｂ、接続事業者Ｃ用識別コードの接続先として自己であるプロバイダＣの接続制御サーバ１Ｃ、未知の接続事業者識別コードの接続先としてプロバイダＢのアクセスポイント２Ｂが登録されている。
【００４３】
(動作)
次に、本発明の動作について、図３乃至図６を参照して説明する。図３は、アクセスポイント（２Ａ等）の動作を示すフローチャートである。図４乃至図６は、ユーザ端末の接続状況を示す説明図であり、図４は、ユーザ端末がプロバイダＡと契約している場合を、図５は、ユーザ端末がプロバイダＢと契約している場合を、図６は、ユーザ端末がプロバイダＣと契約している場合を、それぞれ示している。
【００４４】
まず、ユーザ端末３ＡがプロバイダＡと契約している場合であって、アクセスポイントＡのホットスポットＨＡ内からインターネット接続を行う場合を、図４を参照して説明する。
【００４５】
まず、ユーザ端末３ＡがプロバイダＡのアクセスポイント２Ａに接続し、インターネットへの接続要求と共に接続事業者Ａ用識別コードを送信する（矢印Ｙ１参照）。すると、アクセスポイント２Ａはこれを受信して（ステップＳ１）、接続事業者識別コードを抽出し（ステップＳ２）、当該識別コードがいかなるプロバイダのものか、自己が記憶している事業者識別データ２３ａ内のデータを参照して調べる。すなわち、メモリから事業者識別コードを読み出し（ステップＳ３）、自己のプロバイダＡのものと一致するか否かを調べる（ステップＳ４）。そして、図４に示す場合には自己のプロバイダＡのものであるため（ステップＳ４にて肯定判断）、ユーザ端末３Ａを自己のプロバイダＡのインターネットへの接続を制御する接続制御サーバ１Ａに接続し（ステップＳ５、矢印Ｙ２参照）、インターネットへの接続を中継して接続経路を構築する。これにより、ユーザ端末３Ａは、インターネットＮへの接続を実現することができる。
【００４６】
次に、ユーザ端末３ＢがプロバイダＢと契約している場合であって、当該ユーザ端末３ＢがアクセスポイントＡのホットスポットＨＡ内からインターネット接続を行う場合を、図５を参照して説明する。
【００４７】
まず、ユーザ端末３Ｂは、プロバイダＡのアクセスポイント２Ａに接続し、インターネットへの接続要求と共に接続事業者Ｂ用識別コードを送信する（矢印Ｙ１１参照）。すると、アクセスポイント２Ａは、送信された接続事業者識別コードがいかなるプロバイダのものか否か、自己が記憶している事業者識別データ２３ａ内のデータを参照にして調べる（ステップＳ１〜ステップＳ４）。図５に示す場合には、他のプロバイダのものであるが（ステップＳ４にて否定判断）、予め登録されているプロバイダＢのものである（ステップＳ６にて肯定判断）。従って、アクセスポイント２Ａは、メモリからプロバイダＢのアクセスポイント２Ｂへの接続先データを読み出し（ステップＳ７）、アクセスポイント２Ａがアクセスポイント２Ｂと相互に無線通信経路を確立する。そして、ユーザ端末３Ｂからアクセスポイント２Ａに送信されたインターネットへの接続要求データをアクセスポイント２Ｂに転送する（ステップＳ９、矢印Ｙ１２）。
【００４８】
そして、プロバイダＢのアクセスポイント２Ｂは、アクセスポイント２Ａを介して送信されたユーザ端末３Ｂからの接続要求データを受信して（ステップＳ１）、かかるデータ内に含まれる接続事業者識別コードがいかなるプロバイダのものか調べる（ステップＳ２〜Ｓ４）。すると、今度は、自己のプロバイダＢである接続事業者Ｂ用識別コードが含まれているため、当該アクセスポイント２Ｂは、自己のプロバイダＢのインターネットへの接続を制御する接続制御サーバ１Ｂにユーザ端末３Ｂを接続し（ステップＳ４にて肯定判断の後にステップＳ５、矢印Ｙ１３参照）、インターネットへの接続を中継して確立する。これにより、ユーザ端末３Ｂは、自己のプロバイダＢを介してインターネットへの接続を実現することができる。このため、別途、他のプロバイダを使用するというローミング時の負担を軽減することとなる。
【００４９】
さらに、図６を参照して、ユーザ端末３ＣがプロバイダＣと契約している場合であって、当該ユーザ端末３ＣがアクセスポイントＡのホットスポットＨＡ内からインターネット接続を行う場合を説明する。
【００５０】
まず、上述同様に、ユーザ端末３Ｃは、プロバイダＡのアクセスポイント２Ａに接続し、インターネットへの接続要求と共に接続事業者Ｃ用識別コードを送信する（矢印Ｙ２１参照）。すると、アクセスポイント２Ａは、送信された接続事業者識別コードがいかなるプロバイダのものか否か、自己が記憶している事業者識別データ２３ａ内のデータを参照にして調べる（ステップＳ１〜ステップＳ４）。図６に示す場合には、他のプロバイダのものであり（ステップＳ４にて否定判断）、また、予め登録されていない未知のプロバイダＣのものである（ステップＳ６にて否定判断）。従って、アクセスポイント２Ａは、未知の接続先のときに利用するよう設定されている接続先データを、メモリから読み出す（ステップＳ８）。このとき、プロバイダＢのアクセスポイント２Ｂへの接続先データが読み出される。こうして、アクセスポイント２Ａがアクセスポイント２Ｂと相互に無線通信経路を確立し、ユーザ端末３Ｃからアクセスポイント２Ａに送信されたインターネットへの接続要求データは、アクセスポイント２Ｂに転送される（ステップＳ９、矢印Ｙ２２）。
【００５１】
その後、プロバイダＢのアクセスポイント２Ｂは、アクセスポイント２Ａを介して送信されたユーザ端末３Ｃからの接続要求データを受信して（ステップＳ１）、かかるデータ内に含まれる接続事業者識別コードがいかなるプロバイダのものか調べる（ステップＳ２〜Ｓ４）。すると、今度は、メモリに登録している他のプロバイダＣのものであるため（ステップＳ４にて否定判断の後にステップＳ６にて肯定判断）、かかるプロバイダＣのアクセスポイント２Ｃへの接続先アドレスデータをメモリから読み出して（ステップＳ７）、さらにプロバイダＣのアクセスポイント２Ｃにユーザ端末３Ｃからの接続要求データを転送する（ステップＳ９、矢印Ｙ２３）。
【００５２】
すると、ユーザ端末３Ｃからの接続要求データは、ようやく契約しているプロバイダＣのアクセスポイント２Ｃに転送され、当該アクセスポイント２Ｃでは、上述同様に、自己のプロバイダＣのインターネットへの接続を制御する接続制御サーバ１Ｃにユーザ端末３Ｃを接続し（ステップ１〜ステップ４、ステップＳ４にて肯定判断の後にステップＳ５、矢印Ｙ２４参照）、インターネットへの接続を中継して確立する。これにより、ユーザ端末３Ｃは、自己のプロバイダＣを介してインターネットへの接続を実現することができる。
【００５３】
以上のように、本実施例によれば、無線ＬＡＮのホットスポットが重なってさえいれば、他の接続事業者が運営するホットスポット内でもサービスを受けられるという効果がある。従って、実質的なサービス提供エリアの拡大を図ることができ、ユーザの利便性の向上を図ることができる。また、課金システムの変更をすることなくローミングが実現できるため、ホットスポットのサービス提供範囲を大幅に拡大したホットエリアサービスによって利用者の増加が期待できるという効果もある。
【００５４】
（変形例）
なお、本発明である中継基地局装置（アクセスポイント）、あるいは、無線通信システムは、上記構成のものに限定されない。上記では、アクセスポイント（２Ａ等）が予め記憶している事業者識別データ２３ａには、自己のプロバイダの識別コードの他に、他のプロバイダの識別コードも記憶しているが、自己のプロバイダの識別コードのみを記憶しているという構成でもよい。そして、ユーザ端末（３Ａ等）から送信された接続要求データに含まれる接続事業者識別データが自己のプロバイダの識別コードに一致するか否かを調べ、一致しない場合には、他のプロバイダのアクセスポイントに接続要求データを転送する、という構成であってもよい。なお、転送先であるアクセスポイントは、予め未知の識別コードを含む接続要求データの転送先として指定されてものでもよく、接続先データに記憶されている任意のアクセスポイントであってもよい。
【００５５】
このようにしても、未知の接続事業者識別コードを受信したアクセスポイントは、アドレスデータを記憶している他のアクセスポイントにユーザ端末からの接続要求データを転送し、識別コードが自己のものと一致するプロバイダのアクセスポイントに至るまで転送され続けるため、最終的には、ユーザが希望するプロバイダを介してユーザ端末はネットワークに接続可能となる。
【産業上の利用可能性】
【００５６】
本発明は、カフェなどに設置される無線ＬＡＮ通信のホットスポットを形成する中継基地局装置として産業上利用可能である。
【図面の簡単な説明】
【００５７】
【図１】本発明である無線通信システムの全体構成を示す図である。
【図２】本発明を構成する中継基地局装置の構成を示す機能ブロック図である。
【図３】中継基地局装置の動作を示すフローチャートである。
【図４】無線通信システムにおけるユーザ端末の接続状態の一例を示す説明図である。
【図５】無線通信システムにおけるユーザ端末の接続状態の一例を示す説明図である。
【図６】無線通信システムにおけるユーザ端末の接続状態の一例を示す説明図である。
【符号の説明】
【００５８】
１Ａ  接続事業者Ａの接続制御サーバ
１Ｂ  接続事業者Ｂの接続制御サーバ
１Ｃ  接続事業者Ｃの接続制御サーバ
２Ａ  接続事業者Ａの中継基地局装置（アクセスポイント）
２Ｂ  接続事業者Ｂの中継基地局装置（アクセスポイント）
２Ｃ  接続事業者Ｃの中継基地局装置（アクセスポイント）
３Ａ  接続事業者Ａと契約しているユーザ端末
３Ｂ  接続事業者Ｂと契約しているユーザ端末
３Ｃ  接続事業者Ｃと契約しているユーザ端末
２２  ＣＰＵ
２３  メモリ
２２ａ  接続要求受信部（機能）
２２ｂ  識別コード判断部（機能）
２２ｃ  接続経路制御部（機能）
２３ａ  事業者識別データ（中継基地局装置に予め記憶されている識別データ）
２３ｂ  接続先データ
ＨＡ  アクセスポイントＡのホットスポット
ＨＢ  アクセスポイントＢのホットスポット
ＨＣ  アクセスポイントＣのホットスポット
Ｎ  インターネット（公衆ネットワーク）
【図１】
2005151397.tif 000003
【図２】
2005151397.tif 000004
【図３】
2005151397.tif 000005
【図４】
2005151397.tif 000006
【図５】
2005151397.tif 000007
【図６】
2005151397.tif 000008